(57)【要約】【課題】ブーストモードにおいて同時にアダプタ及びバッテリの両方を用いてプラットフォーム負荷に電力を供給する装置等を提供する。【解決手段】装置は、プラットフォーム負荷（１２０）と、充電モードの間バッテリ（１１４，１１６）を充電するようアダプタ（１０２）からの電圧を下げる充電器（２０４）とを有する。充電器（２０４）は、アダプタ（１０２）とともに、ブーストモードの間、プラットフォーム負荷（１２０）へ電流を供給するようバッテリ電圧をセットする。【選択図】図３
2011211894.tif 000002
【特許請求の範囲】
【請求項１】
プラットフォーム負荷と、
充電モードの間バッテリを充電するようアダプタからの電圧を下げる充電器と
を有し、
前記充電器は、前記アダプタとともにブーストモードの間前記プラットフォーム負荷へ電流を供給するようバッテリ電圧をセットする、装置。
【請求項２】
前記充電器は、インダクタと、第１及び第２のスイッチとを有し、前記充電モードの間同期バックコンバータとして機能する、請求項１に記載の装置。
【請求項３】
前記インダクタと、前記第１及び第２のスイッチとは、前記ブーストモードの間同期ブーストコンバータとして機能する、請求項２に記載の装置。
【請求項４】
前記プラットフォーム負荷及び前記充電器は、共通シャーシの部分である、請求項１に記載の装置。
【請求項５】
前記プラットフォーム負荷は、モバイルコンピュータ用のプロセッサを有する、請求項４に記載の装置。
【請求項６】
前記ブーストモードは、十分に高い電流が前記プラットフォーム負荷によって必要とされる場合に起こる、請求項１に記載の装置。
【請求項７】
前記充電モードは、前記プラットフォーム負荷が十分に低い電流を必要とし、且つ、前記バッテリが充電する状態になっている場合に起こる、請求項１に記載の装置。
【請求項８】
前記充電器は、前記アダプタが最大平均動作電流を得るように制御される、請求項１に記載の装置。
【請求項９】
充電モードの間、アダプタからプラットフォーム負荷及びバッテリへ電流を供給するステップと、
ブーストモードの間、前記アダプタ及び前記バッテリから前記プラットフォーム負荷へ電流を供給するステップと
を有する方法。
【請求項１０】
前記充電モード及び前記ブーストモードの両モードの間、前記アダプタから最大平均動作電流を供給するステップを有する、請求項９に記載の方法。
【請求項１１】
前記バッテリから前記プラットフォーム負荷へ電流を供給するステップは、アダプタ回路と並行して動作するブーストコンバータを用いて前記バッテリからの電圧を前記アダプタからの電圧へと増大させるステップを有する、請求項９に記載の方法。
【請求項１２】
前記アダプタから前記バッテリへ電流を供給するステップは、バックコンバータを用いて前記アダプタの電圧を前記バッテリの電圧へと下げるステップを有する、請求項１１に記載の方法。
【請求項１３】
前記バックコンバータ及び前記ブーストコンバータは、共通のインダクタ及び共通の電力スイッチから形成される、請求項１２に記載の方法。
【請求項１４】
プラットフォーム負荷と、
バッテリパックと、
第１及び第２の電力スイッチと、インダクタとを有するバッテリ充電器と
を有し、
前記バッテリ充電器は、充電モードの間はアダプタに前記バッテリを充電させ、ブーストモードの間は前記バッテリパックに前記アダプタとともに前記プラットフォーム負荷へ電流を供給させる、コンピュータプラットフォーム。
【請求項１５】
前記バッテリ充電器は、前記充電モードの間、前記アダプタからの電圧を前記バッテリパックの電圧へと下げる、請求項１４に記載のコンピュータプラットフォーム。
【請求項１６】
前記バッテリ充電器は、前記ブーストモードの間、前記バッテリパックの電圧を前記アダプタの電圧へと増大させる、請求項１５に記載のコンピュータプラットフォーム。
【請求項１７】
前記第１及び第２の電力スイッチと、前記インダクタとは、前記充電モードの間はバックコンバータとして動作し、前記ブーストモードの間はブーストコンバータとして動作する、請求項１４に記載のコンピュータプラットフォーム。
【発明の詳細な説明】
【技術分野】
【０００１】
本発明は、概して、バッテリ充電器及び電送システムに関し、特に、充電可能な電源を備えるプラットフォームに対する電力供給に関する。
【背景技術】
【０００２】
図１は、コンピュータプラットフォームに電力を供給するための従来のアダプタ−バッテリ−充電器システムを示す回路図である。このシステムは、一般的に、図示されているように接続された、ＡＣ／ＤＣアダプタ１０２と、アダプタ保護スイッチ（ＡＰＳ）１０３と、バッテリ充電器１０４と、セレクタ１０８と、システム管理コントローラ（ＳＭＣ）１１０と、電力スイッチ（ＰＳ）ネットワーク１１２と、バッテリバック１１４及び１１６とを有する。ここで使用されるように、語「コンピュータプラットフォーム」は、本願で提示される原理に従う何らかのプロセッサベースのデバイスをいい、ラップトップ、ネットブック、タブレット、又は携帯電話機等を含むが、それらに限られない。なお、いわゆるノートブック型パーソナルコンピュータ等の持ち運び可能なパーソナルコンピュータが、本願で提示される技術を記述する目的で、主たる例として使用されてよい。当然、表される電力システムブロックは、全体的に又は部分的にコンピュータプラットフォームに組み込まれてよく、実際には、幾つかの実施例において、構成要素は、アダプタとは別に、プラットフォーム負荷１２０に電力を供給するためのプラットフォームの部分であり、例えば、プロセッサ、ディスプレイ、冷却システム等のコンピュータシステムの様々な部分がプラットフォーム負荷１２０を構成する。
【０００３】
アダプタは、ＡＰＳ１０３内の２つの保護スイッチＱａｄ１及びＱａｄ２を介してプラットフォームに接続されている。アダプタは、直流（ＤＣ）供給電圧をプラットフォーム１２０に供給する。プラットフォーム１２０は、通常は、プラットフォーム内の１又はそれ以上のＤＣ／ＤＣコンバータを用いて、プラットフォームにおいて内部で必要とされるように、そのＤＣ供給電圧を変換する。一例として、タブレット、ノートブック又はノートブック型ポータブルコンピュータプラットフォーム等のプラットフォームに関し、アダプタは、約１９〜２０ボルトの直流電源電圧をコンピュータプラットフォーム負荷１２０に直接に供給してよい。他方で、バッテリパックは、本例により、例えば９〜１２ボルトの、より低い直流電源電圧を供給してよい。通常、プラットフォームは、幅広い範囲の入力電源電圧（アダプタからの高電圧及びバッテリパックからの低電圧）を受けて、それらを適切な内部レベルに変換することができる。多くの場合に、プラットフォームは、アダプタ供給及びバッテリ供給の両方を、例えば、１．０ＤＣボルトよりも低い電圧から５ＤＣボルトまでの範囲に及ぶレベルに減じる。
【０００４】
バッテリ充電器１０４は、アダプタ１０２が利用可能である場合に、アダプタ１０２からバッテリパック１１４及び１１６へ電力を供給する。このように、アダプタの出力電圧は、通常は、バッテリパックからの供給よりも高いので、バッテリ充電器は、通常、より高いアダプタ電圧（例えば、１９〜２０Ｖ）をより低いバッテリ電圧（例えば、９〜１２Ｖ）に変換するステップダウンＤＣ／ＤＣコンバータを有する。表されている図では、バッテリ充電器１０４は、当該技術で通常知られているように接続されて動作するスイッチＱＣＨＲＨＳ／ＱＣＨＲＬＳ、インダクタＬＣＨＲ（ＲＣＨＲと示された直列抵抗を伴う。）、及びキャパシタＣから形成される同期バック型（buck-type）コンバータを有する。
【０００５】
セレクタ１０８は、通常はＳＭＣ１１０によって制御されて、適切なバッテリパックを充電器１０４及び／又はプラットフォーム１１２に結合するよう電力スイッチネットワーク１１２のスイッチを含む種々の電力スイッチを制御する。セレクタ１０８は、また、アダプタ１０２をプラットフォーム負荷１２０に結合するようＡＰＳ１０３を制御してよい。アダプタ１０２が切り離される場合、バッテリパック１１４又は１１６は、ＰＳ１１２内のスイッチＱｄ１及びＱｄ２を介して全プラットフォーム電力を供給する（図示されていないが、全体のプラットフォーム電力及び、可能ならば、他の環境パラメータを管理する埋め込み型の電力コントローラが存在してよいことに留意すべきである。）。
【発明の概要】
【発明が解決しようとする課題】
【０００６】
コンピュータプラットフォームを用いて、一部のプラットフォーム構成要素（例えば、１又はそれ以上のプロセッサ及び／又はグラフィックプロセッサ）がより高い性能モードへと駆動されることが、時々（例えば、動作温度が十分に低い場合）、望ましいことがある。例えば、かかるモード（以下、「ブーストモード」と称する。）の間、１又はそれ以上の構成要素は、例えば、数百マイクロ秒から数十秒の範囲に及ぶ期間、より苛酷に駆動されることがある。あいにく、これは、アダプタが確実に供給することができるよりも多い電力量を必要としうる。
【０００７】
従って、かかるブーストモードの間電力をプラットフォームに供給するようアダプタ及びバッテリ（又は他のエネルギ蓄積デバイス若しくはエネルギ蓄積デバイスの組合せ）の両方を同時に用いることに係るアプローチが本願で開示される。当業者には明らかなように、このような動作モードは、バッテリがシステムをサポートすることができるほど十分なレベルに充電されることをシステムが確認している場合に可能にされ得る。
【課題を解決するための手段】
【０００８】
本発明は、プラットフォーム負荷と、充電モードの間バッテリを充電するようアダプタからの電圧を下げる充電器とを有し、前記充電器は、前記アダプタとともにブーストモードの間前記プラットフォーム負荷へ電流を供給するようバッテリ電圧をセットする装置を提供する。
【０００９】
また、本発明は、充電モードの間、アダプタからプラットフォーム負荷及びバッテリへ電流を供給するステップと、ブーストモードの間、前記アダプタ及び前記バッテリから前記プラットフォーム負荷へ電流を供給するステップとを有する方法を提供する。
【００１０】
また、本発明は、プラットフォーム負荷と、バッテリパックと、第１及び第２の電力スイッチと、インダクタとを有するバッテリ充電器とを有し、前記バッテリ充電器は、充電モードの間はアダプタに前記バッテリを充電させ、ブーストモードの間は前記バッテリパックに前記アダプタとともに前記プラットフォーム負荷へ電流を供給させるコンピュータプラットフォームを提供する。
【発明の効果】
【００１１】
本発明の実施形態によれば、ブーストモードにおいて同時にアダプタ及びバッテリの両方を用いてプラットフォーム負荷に電力を供給することが可能となる。
【図面の簡単な説明】
【００１２】
【図１】コンピュータプラットフォームのための従来のアダプタ−バッテリ−充電器システムを示す回路図である。
【図２Ａ】アダプタがバッテリパック及びプラットフォーム負荷の両方に電力を供給する従来モードを表す。
【図２Ｂ】アダプタ及びバッテリパックの両方がプラットフォーム負荷に電力を供給するブーストモードを表す。
【図３】コンピュータプラットフォームのためのブーストモード機能を備えるアダプタ−バッテリ−充電器システムを示す回路図である。
【図４】図３の電力システムの簡略図である。
【図５】アダプタがシステムに接続される場合の回路構成を明示するよう表された図４の図である。
【図６】いくつかの実施例に従って、ブースト機能を備える例となる充電器コントローラ回路の一部を示す。
【図７】プラットフォームの電力消費レベルがアダプタの能力を下回るレベルからアダプタの能力を上回るレベルへと変化している場合における図６のアダプタ−バッテリ−充電器システムのシミュレーション結果を示す。
【図８】バッテリ及びプラットフォームに電力を供給するアダプタに着目した図７の結果を示す。
【図９】プラットフォームに電力を供給するようアダプタを補うバッテリに着目した図７の結果を示す。
【発明を実施するための形態】
【００１３】
本発明は、一例として、しかし限定ではなく、添付の図面の図において例示される。図中、同じ参照符号は、同じか又は対応する要素を表す。
【００１４】
図２Ａ及び図２Ｂは、幾つかの実施例に従う本願発明のアプローチを表す。図２Ａは、正常モード（例えば、充電モード）において、プラットフォーム入力電力がアダプタの能力を下回っている場合に、アダプタ及びバッテリ充電器システムの動作は、従来技術と同じであってよい。アダプタ１０２は電力をプラットフォーム１２０に供給するとともに、バッテリを充電するためにバッテリ充電器２０４にも電力を供給する。
【００１５】
他方で、図２Ｂは、ブーストモード機能を備えるシステムを表し、これにより、アダプタ及びバッテリパックの両方が電力をプラットフォームに供給する。幾つかの実施例において、プラットフォーム需要がアダプタ電力出力を上回り、且つ、十分な充電状態を有するバッテリパックがプラットフォームに接続されている場合に、図２Ｂに表されているように、バッテリ充電器２０４は、プラットフォーム１２０へのアダプタ電力を補うよう、同期ブーストコンバータとしてプラットフォームコントローラによって反転モードにおいて使用される。
【００１６】
図３は、幾つかの実施例に従うプラットフォーム用の電力システムを示す。当該システムは、とりわけ、バック（buck）（ステップダウン充電）モード及びブースト（ステップアップ、昇圧）モードで動作するよう充電器コンバータ構成要素を制御するように構成されているバッテリ充電器コントローラ３０６を有する点を除いて、図１の電力システムと同じである。他のブロックは、具体的な設計配慮を助けるよう変更及び／又は増補されてよい。
【００１７】
図４及び図５は、本発明の関連する態様を理解するのを容易にするための、図３の電力システムの簡略図である。電力スイッチ（ＰＳ）ブロック３１２に関し、当該ブロックはスイッチＱＤ１及びＱＤ２を有するが、スイッチＱＢ１、ＱＢ２、ＱＣ１及びＱＣ２が除かれていると仮定され得る。図４及び図５は、充電器２０４、コントローラ３０６、及び充電器の同期バックコンバータの構成要素を強調している。示されるように、同期バックコンバータ（ＱＣＨＲＨＳ、ＱＣＨＲＬＳ、ＬＣＨＲ）は本質的に２象限電源であり、すなわち、その電力段は、電力回路の必須の電力素子を充電する必要なく電源及び電力シンクとして動作することができる。
【００１８】
図４を参照すると、プラットフォーム負荷の電力要求がアダプタの上限出力レベルを下回っている場合に、アダプタ１０２はバッテリを充電することができ、充電器は充電モードにある。充電器は同期バックコンバータとして動作する。その入力電圧は、アダプタ１０２によってもたらされるので、アダプタ１０２の出力供給電圧と等しい。その出力電圧はバッテリ電圧であり、スイッチＱＣＨＲＨＳのデューティサイクルは、幾つかの実施例において、出力電圧と入力電圧との間の比であってよい（スイッチＱＣＨＲＨＳ及びＱＣＨＲＬＳは相補的である。）。
【００１９】
他方で、図５を参照すると、プラットフォーム電力がアダプタ電力能力を超える場合、充電器はブーストモードに入り、バッテリはプラットフォーム負荷のための追加のエネルギ源として動作する。このモードにおいて、充電器は同期ブーストコンバータとして動作する。その入力電圧はバッテリ電圧であり、その出力電圧はアダプタ電圧である。スイッチＱＣＨＲＨＳのデューティサイクルは、入力電圧と出力電圧と間の比であってよい（スイッチＱＣＨＲＨＳ及びＱＣＨＲＬＳは相補的である。）。
【００２０】
図６は、コントローラ３０６の少なくとも一部に適する回路を示し、本発明を明示するために使用される。当該回路は、正常充電モードにおいてバッテリを充電することと、ブーストモードの間バッテリ蓄積エネルギを用いてプラットフォーム負荷電力を高めることとの間の充電器のシームレスな移行を可能にする。この回路は、充電器構成要素、アダプタ及びバッテリと図示されるように結合されている加算器（エラー増幅部）６０２、補償器６０４、差動増幅器６０６、及びＲＳフリップフロップ６０８とを有する。回路は、同期バックコンバータ又はブーストコンバータを制御する従来のＰＷＭコントローラを構成する。クロック信号ＣＬＯＣＫ及びランプ（のこぎり波）信号ＲＡＭＰは、通常は、同相であり且つ同じ周波数（約１００キロヘルツ）にある。補償器６０４は、加算器６０２の出力からのエラー信号を平滑化して、システムを安定させ、エラー信号の必要な増幅を提供し、所望の過渡応答を生成するようフィルタ（例えば、クロック周波数に又はその近くに極を有する低域通過フィルタ）を有してよい。
【００２１】
加算器６０２及び補償器６０４は、（例えば、図３の検知抵抗ＲＳ等の検知抵抗を介して）検知されるアダプタ電流と、この場合に、アダプタの定格最大平均動作電流であるよう選択されるアダプタ基準電流との間の差に基づいて、充電器デューティサイクルを制御する。フリップフロップ６０８及びクロック信号は、平均アダプタ電流（ＩＡＤ）が最大設定値にあるように、スイッチ（ＱＣＨＲＨＳ、ＱＣＨＲＬＳ）のスイッチング周波数及びデューティサイクルを制御する。当然、制御実施の具体的な更なる詳細は、より良い過渡性能、例えば、ヒステリシス制御、時間一定性及び一定のオフタイム制御等とともに、バッテリ充電、システム、バッテリ及びアダプタの保護等の様々なモードに適応するように異なってよい。
【００２２】
コントローラは、駆動されるアダプタ電流をその最大レベルへと制御するので、スイッチは、インダクタ（ＬＣＨＲ）と協働して、充電器電流（ＩＣＨＡＲＧＥＲ）が、プラットフォーム負荷の要求がアダプタ最大レベルよりも大きくなる場合は、矢印によって示される方向にあり、プラットフォーム負荷の要求がアダプタ最大レベルよりも小さい場合は、（バッテリを充電するよう）反対方向にあるように、機能する。別な点で、最大アダプタ電流レベル、すなわち、加算器６０２に入力される設定基準は設計により定義されるので、ＡＣアダプタの最大電流定格は特定又は推測されるべきである（より複雑な充電方式がバッテリのために組み込まれてよく、具体的な充電電流プロファイルは当業者によって容易に適応可能であることに留意すべきである。）。
【００２３】
図７、図８及び図９は、図６に示されるような制御方式を備えた電力システムの、コンピュータによりシミュレーションされた性能を明示する。図７は、様々なプラットフォーム電力消費レベルにおけるシステムを示す。図７は、プラットフォーム入力電流が２〜６アンペアに遷移する場合のシステム性能を示し、バッテリ充電器は、プラットフォーム電流が約４アンペア（本例におけるアダプタ平均出力電流の制限設定）になる場合に、バッテリを放電することによって、プラットフォーム電力を昇圧し始める。
【００２４】
図８及び図９は、２スイッチングサイクルの存続期間の定常状態プラットフォーム電流のためのシステムの定常状態動作を明示するために、図７の異なる部分を拡大表示する。アダプタ平均出力電流は、アダプタ出力電流が異なる時点で変化することが図７から明らかであるとしても、プラットフォーム入力電流の全てのレベルにおいて４アンペアで一定のままであることに留意すべきである。図８は、プラットフォーム電流がアダプタ電流定格（４アンペアにあるアダプタ最大電流）を下回る場合のシステムの動作を示し、アダプタは、プラットフォームに電力を供給するとともに、バッテリパックを充電するようバッテリパックにも電力を供給している。バッテリ電流は負であり（バッテリは充電されている。）、それは、バックコンバータに期待されるようなのこぎり波形状である。アダプタ電流は、プラットフォーム入力電流とバックコンバータとして使用される充電器のパルス入力電流との和であるため、のこぎり波形状及び矩形波形状の組合せである。
【００２５】
図９は、プラットフォーム電流がアダプタ電流定格を上回る場合のシステムの動作を示し、アダプタ及びバッテリバックはプラットフォームに電力を供給している。バッテリ電流は正である（バッテリはそのエネルギをプラットフォームに供給している。）。バッテリ電流は、ブーストコンバータに期待されるようなのこぎり波形状である。アダプタ電流は、プラットフォーム入力電流とブーストコンバータとして使用される充電器のパルス出力電流との差であるため、のこぎり波形状及び矩形波の組合せである。
【００２６】
上記において、多数の具体的な詳細が挙げられてきた。しかし、本発明の実施形態は、挙げられている具体的な詳細によらずとも実施されてよいことは言うまでもない。他の事例において、従来の回路、構成及び技術は、明細書の理解を不明りょうにしないように図示されていないことがある。この点を考慮して、「一実施形態」（又は単に「実施形態」）、「一実施例」（又は単に「実施例」）、「種々の実施形態（又は実施例）」等の言及は、そのように記載される本発明の実施形態が特定の特徴、構成、又は機能を有してよいが、必ずしも全ての実施形態がその特定の特徴、構成、又は機能を有する分けではないことを示す。更に、幾つかの実施形態は、他の実施形態に関して記載される特徴の一部又は全てを有しても、あるいは、それらの特徴を全く有さなくてもよい。
【００２７】
上記及び添付の特許請求の範囲において、次の語は下記のように解されるべきである。すなわち、語「結合される」及び「接続される」は、それらの派生語とともに、使用されることがある。当然、これらの語は、互いに同義語として意図されていない。むしろ、特定の実施形態において、「接続される」は、２又はそれ以上の要素が互いと直接に物理的又は電気的な接触を有していることを示すために使用される。「結合される」は、２又はそれ以上の要素が互いと協働し又は相関するが、それらは、直接に物理的又は電気的な接触を有しても有さなくてもよいことを示すために使用される。
【００２８】
語「ＰＭＯＳトランジスタ」は、Ｐ形の金属酸化膜半導体電界効果トランジスタを表す。同様に、語「ＮＭＯＳトランジスタ」は、Ｎ形の金属酸化膜半導体電界効果トランジスタを表す。当然、語「ＭＯＳトランジスタ」、「ＮＭＯＳトランジスタ」又は「ＰＭＯＳトランジスタ」が使用される場合は、それらの使用の性質上、別なふうに明示的に示されない限り、それらは典型的な方法で使用されている。それらは、少し記述するだけでも、異なるＶＴ、金属タイプ、絶縁体厚さ、ゲート構成を持ったデバイスを含む様々なＭＯＳデバイスを包含する。さらに、具体的にＭＯＳ又は同様のものに言及されない限り、語「トランジスタ」には、他の適切なトランジスタイプ、例えば、接合型電界効果トランジスタ、バイポーラ接合型トランジスタ、金属半導体ＦＥＴ、及び様々なタイプの３次元トランジスタ、ＭＯＳ、あるいは、今日知られている又は未だ開発されていない別のものが含まれうる。
【００２９】
本発明は、記載される実施形態に限られず、添付の特許請求の範囲の精神及び適用範囲にある変形及び代替を有して実施されてよい。例えば、本発明は、全てのタイプの半導体集積回路（ＩＣ）チップとともに使用されるのに適していることは言うまでもない。これらのＩＣチップの例には、プロセッサ、コントローラ、チップセット構成要素、プログラム可能ロジックアレイ（ＰＬＡ）、メモリチップ、ネットワークチップ等が含まれるが、これらに限られない。
【００３０】
また、当然に、図面の一部において、信号線は直線により表されている。一部の直線は、更なる構成信号経路を示すよう太くされ、構成信号経路の数を示すよう数字ラベルを有し、且つ／あるいは、一次情報フロー方向を示すよう１以上の端部に矢印を有してよい。しかし、これは、限定的に解釈されるべきではない。むしろ、このような付加的な詳細は、回路のより容易な理解を助けるよう、１又はそれ以上の実施例に関連して使用されてよい。表されている如何なる信号線も、付加的な情報を有していようとなかろうと、実際に、複数の方向において移動することができ且つ何らかの適切なタイプの信号方式（例えば、差動対により実施されるデジタル若しくはアナログ線、光ファイバ線、及び／又はシングルエンド線）で実施され得る１以上の信号を有してよい。
【００３１】
例となるサイズ／モデル／値／範囲が与えられているが、本発明はこれらに限られないことは言うまでもない。製造技術（例えば、フォトリソグラフィ）は時間とともに成熟するので、よりサイズが小さいデバイスが製造され得ると期待される。さらに、ＩＣチップ及び他の構成要素への従来の電力／接地接続は、例示及び議論の簡単のために、且つ、本発明を不明りょうとしないように、図面内に図示されていないことがある。さらに、配置は、ブロック図において、本発明を不明りょうとすることを回避するために、また、このようなブロック図配置の実施に関する詳細が、本発明が実施されるべきプラットフォームに大いに依存する、すなわち、このような詳細が適切に当業者の視野範囲内にあるという事実を鑑み、図示されてよい。具体的な詳細（例えば、回路）が本発明の実施例を記載するために挙げられている場合に、当業者には明らかなように、本発明は、かかる具体的な詳細によらずに、又はその変形により、実施されてよい。このように、本記載は、限定ではなく、例示とみなされるべきである。
【符号の説明】
【００３２】
１０２  ＡＣ／ＤＣアダプタ
１０３  アダプタ保護スイッチ（ＡＰＳ）
１０４，２０４  バッテリ充電器
１０８  セレクタ
１１０  システム管理コントローラ（ＳＭＣ）
１１２，３１２  電力スイッチ（ＰＳ）ネットワーク
１１４，１１６  バッテリパック
１２０  プラットフォーム負荷
３０６  バッテリ充電器コントローラ
６０２  加算器（エラー増幅部）
６０４  補償器
６０６  差動増幅器
６０８  ＲＳフリップフロップ
【図１】
2011211894.tif 000003
【図２Ａ】
2011211894.tif 000004
【図２Ｂ】
2011211894.tif 000005
【図３】
2011211894.tif 000006
【図４】
2011211894.tif 000007
【図５】
2011211894.tif 000008
【図６】
2011211894.tif 000009
【図７】
2011211894.tif 000010
【図８】
2011211894.tif 000011
【図９】
2011211894.tif 000012